(57)【要約】【課題】シェーディング補正板の汚損を防止し、精度の高いシェーディング補正を読取速度の低下を招くことなく可能とする原稿読取装置を提供すること。【解決手段】原稿読取装置は、原稿を搬送路中に設けられた読取部へ搬送する給紙部と、搬送されてきた原稿の画像を読取部で読み取る画像読取部と、読み取られる画像の基準濃度情報を予め画像読取部に読み取らせるためのシェーディング補正板と、シェーディング補正板を読取部に対して進退可能に駆動する補正板駆動部と、給紙部、画像読取部および補正板駆動部を制御する制御部とを備え、補正板駆動部は制御部の制御の下にシェーディング補正板を読取部に進退させ、制御部はシェーディング補正板によって得られた基準濃度情報に基づいてシェーディング補正を行う。【選択図】図４
2008010960.tif 000002
【特許請求の範囲】
【請求項１】
原稿を搬送路中に設けられた読取部へ搬送する給紙部と、搬送されてきた原稿の画像を読取部で読み取る画像読取部と、読み取られる画像の基準濃度情報を予め画像読取部に読み取らせるためのシェーディング補正板と、シェーディング補正板を読取部に対して進退可能に駆動する補正板駆動部と、給紙部、画像読取部および補正板駆動部を制御する制御部とを備え、補正板駆動部は制御部の制御の下にシェーディング補正板を読取部に進退させ、制御部はシェーディング補正板によって得られた基準濃度情報に基づいてシェーディング補正を行うことを特徴とする原稿読取装置。
【請求項２】
シェーディング補正板は、基準濃度情報を画像読取部に読み取らせるために少なくとも白レベル検出部を有することを特徴とする請求項１に記載の原稿読取装置。
【請求項３】
補正板駆動部は、原稿が読取部を通過するタイミングに応じて、シェーディング補正板を読取部で画像読取部に読み取らせる読取位置と、原稿の通過を妨げない退避位置とに移動させることを特徴とする請求項１又は２に記載の原稿読取装置。
【請求項４】
給紙部は、原稿を所定のタイミングで読取部へ搬送するためのレジストローラを搬送路中に備え、補正板駆動部は原稿の先端がレジストローラに到達するまでにシェーディング補正板を退避位置へ移動させることを特徴とする請求項３に記載の原稿読取装置。
【請求項５】
給紙部は、原稿を所定のタイミングで読取部へ搬送するためのレジストローラを搬送路中に備え、補正板駆動部はレジストローラによる原稿の搬送が開始されるまでにシェーディング補正板を退避位置へ移動させることを特徴とする請求項３に記載の原稿読取装置。
【請求項６】
給紙部は、搬送路の上流に配置され原稿を搬送路へ送り出すための給紙ローラを備え、補正板駆動部は原稿が給紙ローラを通過するタイミングでシェーディング補正板を読取位置へ移動させ、制御部がシェーディング補正を実行することを特徴とする請求項３に記載の原稿読取装置。
【請求項７】
給紙部は、読取部で読み取られた原稿を搬送路の下流へ搬送するための搬送ローラを備え、補正板駆動部は原稿の後端が前記搬送ローラを通過したタイミングでシェーディング補正板を読取位置へ移動させ、制御部がシェーディング補正を実行することを特徴とする請求項３に記載の原稿読取装置。
【請求項８】
給紙部は複数の原稿を１枚ずつ搬送路に給紙できるように構成され、補正板駆動部は、１枚目の原稿が搬送路へ給紙された際、所定枚数の原稿が読み取られた際、および原稿読取装置に電力が供給開始された際のいずれかにシェーディング補正板を読取部に進退させ、制御部がシェーディング補正を実行することを特徴とする請求項１に記載の原稿読取装置。
【請求項９】
原稿を搬送路中に設けられた読取部へ搬送する給紙部と、搬送されてきた原稿の画像を読取部で読み取る画像読取部と、読み取られる画像の基準濃度情報を予め画像読取部に読み取らせるために読取部の近傍に配置されるシェーディング補正板と、給紙部および画像読取部を制御する制御部とを備え、シェーディング補正板は読取部から原稿の搬送方向の上流側または下流側に離間した原稿と非接触となる位置に固定され、制御部はシェーディング補正板によって得られた基準濃度情報に基づいてシェーディング補正を行うことを特徴とする原稿読取装置。
【請求項１０】
シェーディング補正板は、基準濃度情報を画像読取部に読み取らせるために少なくとも白レベル検出部を有することを特徴とする請求項９に記載の原稿読取装置。
【請求項１１】
画像読取部は、原稿およびシェーディング補正板に光を照射する光源、原稿およびシェーディング補正板から反射してきた光の光路を変更するミラーおよび光路変更された光を受光して電気信号に変換する受光素子とからなり、シェーディング補正板は、シェーディング補正板から反射しミラーを介して受光素子に至る光路長が、原稿から反射しミラーを介して受光素子に至る光路長と略等しくなるような位置に配置されることを特徴とする請求項９又は１０に記載の原稿読取装置。
【請求項１２】
光源から照射された光を所定の方向に集光するリフレクターと、制御部の制御の下に駆動されミラーの角度を変更するミラー駆動部を更に備え、制御部がシェーディング補正を行う際、ミラー駆動部はシェーディング補正板から反射しミラーを介して受光素子に至る光路長が、原稿から反射しミラーを介して受光素子に至る光路長と略等しくなるようにミラーの角度を変更することを特徴とする請求項１１に記載の原稿読取装置。
【請求項１３】
制御部の制御の下で駆動されリフレクターの角度を変更するリフレクター駆動部を更に備え、リフレクター駆動部はシェーディング補正の要否に応じて読取部とシェーディング補正板が選択的に照射されるようにリフレクターの角度を変更することを特徴とする請求項１２に記載の原稿読取装置。
【請求項１４】
給紙部は複数の原稿を１枚ずつ搬送路へ給紙できるように構成され、制御部は、１枚目の原稿が搬送路へ給紙された際、所定枚数の原稿が読み取られた際、および原稿読取装置に電力が供給開始された際のいずれかにシェーディング補正を実行することを特徴とする請求項９に記載の原稿読取装置。
【発明の詳細な説明】
【技術分野】
【０００１】
この発明は、原稿読取装置に関し、より詳しくは、読み取った画像の濃度のムラを補正するシェーディング補正の精度向上を図るための構造に関する。
【背景技術】
【０００２】
この発明に関連する従来技術としては、プラテン上に載置された原稿に対して光源およびミラーを含む読取ユニットを副走査方向に移動させながら原稿の画像を読み取る原稿固定方式の読取方法において、シェーディング補正板を読取ユニットに対して移動可能に装着し、制御部が光源と原稿との間の光路位置に前記シェーディング板を必要に応じて移動させることにより、シェーディング補正のための基準濃度情報取得の迅速化を図った原稿読取装置が知られている（例えば、特許文献１参照）。
【特許文献１】特開平４−７２８６２号公報
【発明の開示】
【発明が解決しようとする課題】
【０００３】
一般に、原稿の画像を読み取って電子化する原稿読取装置は、原稿に光を照射する光源、原稿から反射されてきた光の光路を変更するミラー、光路変更された光を受光して電気信号に変換するＣＣＤ等の受光素子を備えている。
光源としては主走査方向に延びる蛍光灯などが使用されるが、主走査方向における輝度が一定でないことに起因して、読み取られた原稿の画像に濃度のムラが発生することがある。
このような濃度のムラを補正するために、シェーディング補正と呼ばれる補正が行われている。
シェーディング補正とは、読み取られた画像に濃度のムラが発生しないように予め濃度調整を行っておく処理のことで、例えば、白板からなるシェーディング補正板に光源から光を照射して得られた基準濃度情報に基づいて、受光素子を構成する複数の画素の出力値（受光感度）が均一の値となるように予め各画素の出力値を調整しておくことにより、読み取られた画像の濃度が均一になるようにしている。
シェーディング補正は、画像品位を最優先するのであれば、原稿を読み取る前にその都度行うことが望ましいが、原稿を１枚読み取る毎にシェーディング補正板を照射して基準濃度情報を得ようとすれば、原稿読取速度の低下を招くため、実際には原稿読取装置の起動時、印字要求がなされた時の１枚目、所定枚数の読み取り毎に行われている。
【０００４】
ところで、原稿の画像を読み取るにあたっては原稿固定方式と原稿移動方式がある。原稿固定方式とはガラス板等からなる透明なプラテン上に原稿を載置し、光源およびミラーを原稿に対して副走査方向に移動させながら原稿の画像を読み取る方式である。
一方、原稿移動方式とは、光源およびミラーを搬送路中に開口された読取部の近傍に静止させた状態で、原稿を副走査方向に搬送しながら原稿の画像を読み取る方式であり、自動原稿送り装置（Auto Document Feeder）（ADF）を備えた複写機等に多く採用されている。
【０００５】
原稿固定方式および原稿移動方式のいずれにしても、信頼性の高い基準濃度情報を得るためにはシェーディング補正板から受光素子に至る光路長と、原稿から受光素子に至る光路長がなるべく等しいことが望ましい。
原稿固定方式では、原稿が載置されるプラテンの領域外にシェーディング補正板を配置できるので、シェーディング補正板から受光素子に至る光路長と、原稿から受光素子に至る光路長を、比較的容易に略等しく設定することができる。
また、ユーザー自らがプラテン上に原稿を１枚ずつ載置し、原稿読取装置に対して読取要求をなすので、光源がシェーディング補正板を照射すべくシェーディング補正板が配置された位置へ移動することに起因して生ずる読取速度の低下は、それほどユーザーにとって不都合をきたすものではない。
【０００６】
しかしながら、原稿移動方式ではユーザーが原稿載置台に複数の原稿が重ねられた原稿束を載置し、搬送路中に設けられた読取部に原稿を連続的に通過させて原稿の画像を読み取るので、ユーザーは複数の原稿を高速で読み取ることを意図していることが多く、シェーディング補正の度に光源をプラテンの領域外に配置されたシェーディング補正板へ移動させれば、ユーザーの意図に反して読取速度の大幅な低下を招くこととなる。
そのため、原稿移動方式では搬送路中に開口された読取部に搬送路の一部を構成するようにシェーディング補正板を配置し、原稿読取開始前、もしくは先の原稿が通過してから次の原稿が通過するまでの間にシェーディング補正板を照射するように構成されていることが多い。
また、上述のように、原稿から反射し受光素子に至るまでの光路長と、シェーディング補正板から反射し受光素子に至るまでの光路長は、なるべく等しく設定されることが望ましいため、シェーディング補正板は原稿を読取部に付勢するように読取部を通過する原稿に対して極力近接させて配置されることが多い。
【０００７】
しかしながら、原稿の中にはボールペンなどの完全に乾燥しきっていないインクによって画像が描かれたものもあり、この場合、シェーディング補正板がインクで汚損されることもある。また、インク以外にも、連続的に高速で搬送される原稿から生じる紙粉等の堆積によりシェーディング補正板が汚損されることもある。
シェーディング補正板が汚損されると、シェーディング補正を行うための正確な基準濃度情報が得られなくなり、シェーディング補正そのものが適切になされなくなる。
【０００８】
この発明は以上のような事情を考慮してなされたものであり、シェーディング補正板の汚損を防止し、精度の高いシェーディング補正を読取速度の低下を招くことなく可能とする原稿読取装置を提供するものである。
【課題を解決するための手段】
【０００９】
この発明は、原稿を搬送路中に設けられた読取部へ搬送する給紙部と、搬送されてきた原稿の画像を読取部で読み取る画像読取部と、読み取られる画像の基準濃度情報を予め画像読取部に読み取らせるためのシェーディング補正板と、シェーディング補正板を読取部に対して進退可能に駆動する補正板駆動部と、給紙部、画像読取部および補正板駆動部を制御する制御部とを備え、補正板駆動部は制御部の制御の下にシェーディング補正板を読取部に進退させ、制御部はシェーディング補正板によって得られた基準濃度情報に基づいてシェーディング補正を行うことを特徴とする第１の原稿読取装置を提供するものである。
【００１０】
また、この発明は、原稿を搬送路中に設けられた読取部へ搬送する給紙部と、搬送されてきた原稿の画像を読取部で読み取る画像読取部と、読み取られる画像の基準濃度情報を予め画像読取部に読み取らせるために読取部の近傍に配置されるシェーディング補正板と、給紙部および画像読取部を制御する制御部とを備え、シェーディング補正板は読取部から原稿の搬送方向の上流側または下流側に離間した原稿と非接触となる位置に固定され、制御部はシェーディング補正板によって得られた基準濃度情報に基づいてシェーディング補正を行うことを特徴とする第２の原稿読取装置を提供するものである。
【発明の効果】
【００１１】
この発明による第１の原稿読取装置によれば、制御部の制御の下に駆動される補正板駆動部によってシェーディング補正板が搬送路中に設けられた読取部に進退させられるので、シェーディング補正板の汚損を確実に防止でき、精度の高いシェーディング補正を読取速度の低下を招くことなく行うことができる。
【００１２】
また、この発明による第２の原稿読取装置によれば、読取部の近傍に配置されるシェーディング補正板が読取部から原稿の搬送方向の上流側または下流側に離間した原稿と非接触となる位置に固定されるので、シェーディング補正板の汚損を確実に防止でき、精度の高いシェーディング補正を読取速度の低下を招くことなく行うことができる。
【発明を実施するための最良の形態】
【００１３】
この発明による第１の原稿読取装置は、原稿を搬送路中に設けられた読取部へ搬送する給紙部と、搬送されてきた原稿の画像を読取部で読み取る画像読取部と、読み取られる画像の基準濃度情報を予め画像読取部に読み取らせるためのシェーディング補正板と、シェーディング補正板を読取部に対して進退可能に駆動する補正板駆動部と、給紙部、画像読取部および補正板駆動部を制御する制御部とを備え、補正板駆動部は制御部の制御の下にシェーディング補正板を読取部に進退させ、制御部はシェーディング補正板によって得られた基準濃度情報に基づいてシェーディング補正を行うことを特徴とする。
【００１４】
この発明による第２の原稿読取装置は、原稿を搬送路中に設けられた読取部へ搬送する給紙部と、搬送されてきた原稿の画像を読取部で読み取る画像読取部と、読み取られる画像の基準濃度情報を予め画像読取部に読み取らせるために読取部の近傍に配置されるシェーディング補正板と、給紙部および画像読取部を制御する制御部とを備え、シェーディング補正板は読取部から原稿の搬送方向の上流側または下流側に離間した原稿と非接触となる位置に固定され、制御部はシェーディング補正板によって得られた基準濃度情報に基づいてシェーディング補正を行うことを特徴とする。
【００１５】
この発明による第１および第２の原稿読取装置において、給紙部とは、原稿を搬送路中に設けられた読取部へ搬送するための各種搬送手段を意味し、例えば、原稿トレイから原稿を搬送路中へ送り出す給紙ローラ、原稿を搬送路に沿って搬送する搬送ローラ、搬送されてきた原稿を一旦チャックし、所定のタイミングで読取部へ搬送するレジストローラ等が挙げられる。
【００１６】
また、画像読取部とは、原稿の画像を読み取って電子的な画像データを生成するための各種読取手段を意味し、例えば、原稿に対して光を照射する光源、原稿から反射してきた光の光路を変更するミラー、光路変更された光を受光して電気信号に変換するＣＣＤ等から構成されたものが挙げられる。
【００１７】
また、シェーディング補正板とは、読み取られる画像の基準濃度情報、すなわちシェーディング補正を行ううえで基準とすべき濃度のレベルを画像読取部に予め読み取らせるための手段を意味し、例えば、白レベル検出部を有する白板、又は、白レベル検出部と黒レベル検出部を有する白／黒板などが挙げられる。
【００１８】
第１の原稿読取装置において、補正板駆動部とは、シェーディング補正板を読取部に対して進退させるための駆動手段を意味し、例えば、シェーディング補正板に連結され、制御部の制御の下で駆動される電磁ソレノイド、正逆回転可能なパルスモータなどが挙げられる。
【００１９】
また、制御部とは、第１の原稿読取装置においては、上述の給紙部、画像読取部および補正板駆動部を所定のプログラムに従って制御し作動させるマイクロコンピュータを意味し、第２の原稿読取装置においては、給紙部および画像読取部を所定のプログラムに従って制御し作動させるマイクロコンピュータを意味する。
制御部は、例えば、ＣＰＵ，ＲＯＭ，ＲＡＭ，各種センサと接続され信号の入出力を行うＩ／Ｏポート、各種駆動部を作動させるドライバ回路等から構成される。
【００２０】
また、「シェーディング補正を行う」とは、読み取られた画像に濃度のムラが発生しないようにシェーディング補正板によって得られた基準濃度情報に基づいて予め濃度調整を行っておく処理を意味する。
【００２１】
この発明による第１および第２の原稿読取装置において、シェーディング補正板は、基準濃度情報を画像読取部に読み取らせるために少なくとも白レベル検出部を有することが好ましい。
このような構成によれば、最も明るい白色のレベルを基準濃度情報として得ることができ、シェーディング補正を効率的かつ的確に行うことができる。
【００２２】
この発明による第１の原稿読取装置において、補正板駆動部は、原稿が読取部を通過するタイミングに応じて、シェーディング補正板を読取部で画像読取部に読み取らせる読取位置と、原稿の通過を妨げない退避位置とに移動させることが好ましい。
このような構成によれば、シェーディング補正を行う必要がある時のみシェーディング補正板が読取部に進出し、シェーディング補正を行う必要がない時には原稿の通過を妨げない退避位置に移動させられるので、シェーディング補正板の汚損を確実に防止でき、読取速度の低下を招くことなく精度よくシェーディング補正を行うことができる。
【００２３】
また、原稿が読取部を通過するタイミングに応じてシェーディング補正板が読取位置と退避位置に移動させられる上記構成において、給紙部は、原稿を所定のタイミングで読取部に搬送するためのレジストローラを搬送路中に備え、補正板駆動部は原稿の先端がレジストローラに到達するまでにシェーディング補正板を退避位置へ移動させてもよい。
【００２４】
また、原稿が読取部を通過するタイミングに応じてシェーディング補正板が読取位置と退避位置に移動させられる上記構成において、給紙部は、原稿を所定のタイミングで読取部へ搬送するためのレジストローラを搬送路中に備え、補正板駆動部はレジストローラによる原稿の搬送が開始されるまでにシェーディング補正板を退避位置へ移動させてもよい。
【００２５】
これらの構成によれば、いずれの構成においてもシェーディング補正板を退避位置へ移動させるタイミングを図るものとして、搬送路中に設けられ原稿を所定のタイミングで読取部へ原稿を搬送するレジストローラが利用されるので、原稿の位置を測定するセンサ等を別途設けることなく、原稿が読取部を通過するまでに確実にシェーディング補正板を退避位置へ移動させることができる。
【００２６】
また、原稿読取部を通過するタイミングに応じてシェーディング補正板が読取位置と退避位置に移動させられる上記構成において、給紙部は、搬送路の上流に配置され原稿を搬送路へ送り出すための給紙ローラを備え、補正板駆動部は原稿が給紙ローラを通過するタイミングでシェーディング補正板を読取位置に移動させ、制御部がシェーディング補正を実行してもよい。
このような構成によれば、原稿が搬送路の上流に配された給紙ローラを通過するタイミングでシェーディング補正板が読取位置へ移動させられ、シェーディング補正が行われるので、原稿の読み取りを開始する前にシェーディング補正を行うことができる。
【００２７】
また、原稿が読取部を通過するタイミングに応じてシェーディング補正板が読取位置と退避位置に移動させられる上記構成において、給紙部は、読取部で読み取られた原稿を搬送路の下流へ搬送するための搬送ローラを備え、補正板駆動部は原稿の後端が前記搬送ローラを通過したタイミングでシェーディング補正板を読取位置へ移動させ、制御部がシェーディング補正を実行してもよい。
このような構成によれば、読取部で読み取られた原稿を搬送路の下流へ搬送するための搬送ローラを原稿の後端が通過したタイミングで、シェーディング補正板が読取位置へ移動させられシェーディング補正が行われるので、複数の原稿を連続的に読み取る場合に、先の原稿が読取部を通過してから次の原稿が読取部に到達するまでの間にシェーディング補正を行うことができる。
【００２８】
この発明による第１の原稿読取装置において、給紙部は複数の原稿を１枚ずつ搬送路に給紙できるように構成され、補正板駆動部は、１枚目の原稿が搬送路へ給紙された際、所定枚数の原稿が読み取られた際、および原稿読取装置に電力が供給開始された際のいずれかにシェーディング補正板を読取部に進退させ、制御部がシェーディング補正を実行してもよい。
このような構成によれば、原稿読取装置の起動時、原稿読取の１枚目または所定枚数の原稿読取毎にシェーディング補正が行われるので、画像品位と原稿読取速度の両立を図ることができる。
【００２９】
この発明による第２の原稿読取装置において画像読取部は、原稿およびシェーディング補正板に光を照射する光源、原稿およびシェーディング補正板から反射してきた光の光路を変更するミラーおよび光路変更された光を受光して電気信号に変換する受光素子とからなり、シェーディング補正板は、シェーディング補正板から反射しミラーを介して受光素子に至る光路長が、原稿から反射しミラーを介して受光素子に至る光路長と略等しくなるような位置に配置されてもよい。
このような構成によれば、シェーディング補正板からミラーを介して受光素子に至る光路長と原稿からミラーを介して受光素子に至る光路長が略等しくなるため、基準濃度情報の信頼性が向上し、結果としてシェーディング補正の精度がより一層向上する。
【００３０】
また、上記構成において第２の原稿読取装置は、光源から照射された光を所定の方向に集光するリフレクターと、制御部の制御の下に駆動されミラーの角度を変更するミラー駆動部を更に備え、制御部がシェーディング補正を行う際、ミラー駆動部はシェーディング補正板から反射しミラーを介して受光素子に至る光路長が、原稿から反射しミラーを介して受光素子に至る光路長と略等しくなるようにミラーの角度を変更してもよい。
このような構成によれば、シェーディング補正が行われる際に、シェーディング補正板から反射しミラーを介して受光素子に至る光路長が、原稿から反射しミラーを介して受光素子に至る光路長と等しくなるようにミラーの角度が変更されるので、シェーディング補正板から反射した光をより的確に受光素子に導いて基準濃度情報の信頼性を向上させることができ、結果としてシェーディング補正の精度がより一層向上する。
【００３１】
また、ミラーの角度が変更される上記構成において、第２の原稿読取装置は、制御部の制御の下で駆動されたリフレクターの角度を変更するリフレクター駆動部を更に備え、リフレクター駆動部はシェーディング補正の要否に応じて読取部とシェーディング補正板が選択的に照射されるようにリフレクターの角度を変更してもよい。
このような構成によれば、シェーディング補正の要否に応じてリフレクターの角度が変更されるので、シェーディング補正板を原稿と同条件で照射して基準濃度情報の信頼性を向上させることができ、結果としてシェーディング補正の精度がより一層向上する。
【００３２】
この発明による第２の原稿読取装置において、給紙部は複数の原稿を１枚ずつ搬送路へ給紙できるように構成され、制御部は、１枚目の原稿が搬送路へ給紙された際、所定枚数の原稿が読み取られた際、および原稿読取装置に電力が供給開始された際のいずれかにシェーディング補正を実行してもよい。
このような構成によれば、原稿読取装置の起動時、原稿読取の１枚目または所定枚数の原稿読取毎にシェーディング補正が行われるので、画像品位と原稿読取速度の両立を図ることができる。
【００３３】
以下、図面に示す実施例に基づいてこの発明を詳細に説明する。
【実施例１】
【００３４】
図１〜１４に基づいて、この発明の実施例による原稿読取装置（自動原稿送り装置）（以下、「ＡＤＦ」と略称する）が搭載された画像形成装置について説明する。図１は、実施例による画像形成装置の全体構成を示す概略図である。
【００３５】
画像形成装置の全体構成とその動作
図１に示されるように、この発明の実施例によるＡＤＦ（用紙搬送装置）１が搭載された画像形成装置１００は、ＡＤＦ１によって搬送された原稿をスキャンして得られた画像データ、或いは、外部から伝達された画像データに応じて、所定の記録用紙（シート）に対してモノクロ画像を形成するものである。
画像形成装置１００は、主に第１読取ユニット３２、自動原稿搬送ユニット３３および第２読取ユニット５２からなるＡＤＦ１、光書込ユニット３、現像器４、感光体５、帯電器６、クリーナユニット７、転写ユニット８、定着ユニット９、用紙搬送路１０、給紙トレイ１１および排紙トレイ１２とから主に構成されている。
【００３６】
ＡＤＦ１の第１読取ユニット３２は、主に、第１光源ユニット３４、ミラーユニット３５およびＣＣＤ３７とから構成されている。
ＡＤＦ１から送られてくる原稿を原稿移動方式で読み取る場合、第１光源ユニット３４およびミラーユニット３５は静止した状態で、原稿の画像を走査して読み取る。
ＡＤＦ１から原稿が搬送されてくると、第１光源ユニット３４の光源から原稿に光が照射され、原稿から反射された光がミラーユニット３５を介して光路変更されＣＣＤ３７に結像され、電子的な画像データに変換される。
なお、ＡＤＦ１の具体的な構造と動作については後の項で詳述する。
【００３７】
帯電器６は、感光体５の表面を所定の電位に均一に帯電させるための帯電手段であり、実施例の画像形成装置１００では、チャージャー型の帯電器６を用いているが、接触型のローラ型やブラシ型の帯電器を用いることもできる。
また、この実施例では光書込ユニット３として、レーザ照射部１６ａ，１６ｂおよびミラー群１７ａ，１７ｂを備えたレーザスキャニングユニット（ＬＳＵ）を用いているが、発光素子をアレイ状に並べたＥＬ書き込みヘッドやＬＥＤ書き込みヘッドを用いることもできる。
【００３８】
光書込ユニット３は、高速印字処理に対応するために、２つのレーザ照射部１６ａ，１６ｂを備えた２ビーム方式を採用しており、照射タイミングの高速化に伴う負担が軽減されている。
そして、入力された画像データに応じてレーザ照射部１６ａ，１６ｂからレーザ光を照射し、ミラー群１７ａ，１７ｂを介して、帯電器６によって均一に帯電された感光体５を露光することにより、感光体５の表面に画像データに応じた静電潜像が形成される。
【００３９】
感光体５の近傍に配された現像器４は、感光体５の表面に形成された静電潜像を黒トナーで顕像化するものである。
また、感光体５の周囲に配されたクリーナユニット７は、現像・画像転写後に感光体５の表面に残留したトナーを除去・回収するものである。
【００４０】
画像形成装置１００は、全体を統合制御する図示しない制御部を備えている。
制御部は、ＣＰＵ、ＣＰＵが実行する制御プログラムを格納するＲＯＭ、ＣＰＵにワークエリアを提供するＲＡＭ、制御データを保持する不揮発性メモリ、画像形成装置１００の各部検知手段からの信号が入力される入力回路、画像形成装置１００の各部駆動機構を作動させるアクチュエータやモータを駆動させるドライバ回路、レーザ照射部１６ａ，１６ｂを駆動する出力回路などから構成される。
【００４１】
上述のように、感光体５の表面に顕像化された静電像は、搬送されてくる用紙に対して転写ユニット８から静電像が有する電荷と逆極性の電界が印加されることにより記録用紙上に転写される。
例えば、静電像が（−）極性の電荷を有している場合、転写ユニット８の印加極性は（＋）極性となる。
転写ユニット８の転写ベルト１９は、駆動ローラ２０、従動ローラ２１および他のローラで張架され、所定の抵抗値（例えば、１×１０9〜１×１０13Ω・ｃｍの範囲）を有している。
感光体５と転写ベルト１９との接触部には導電性を有し転写電界を印加することが可能な弾性導電性ローラ２２が配置されている。
【００４２】
転写ユニット８で記録用紙上に転写された静電像（未定着トナー）は、定着ユニット９に搬送されることにより、未定着トナーが溶融し記録用紙上に定着する。
定着ユニット９は、加熱ローラ２３，加圧ローラ２４を備えており、加熱ローラ２３の内周部には加熱ローラ２３の表面を所定温度（定着温度：概ね１６０〜２００℃）とする熱源が内蔵されている。
他方、加圧ローラ２４は、加熱ローラ２３に対して所定圧で圧接するようにその両端に図示しない加圧部材が配置されている。
これにより加熱ローラ２３と加圧ローラ２４との圧接部（定着ニップ部と呼ばれる）において、搬送されてくる記録用紙上の未定着トナーを加熱ローラ２３で加熱して溶融させ、圧接部でトナーを記録用紙に押して記録用紙上に定着させる。
【００４３】
複数の給紙トレイ１１は、画像形成に使用する記録用紙を蓄積しておくためのトレイであり、実施例の画像形成装置１００では、装置の下方に設けられている。
実施例の画像形成装置１００は高速印字処理を目的としているため、各給紙トレイ１１には定型サイズの記録用紙を５００〜１５００枚収納可能な容積が確保されている。
また、画像形成装置１００の側面には複数種の記録用紙を多量に収納可能な大容量給紙カセット（ＬＣＣ）２５と、主として不定型サイズの印字等に用いる手差しトレイ２６が設けられている。
【００４４】
排紙トレイ１２は、手差しトレイ２６とは反対側の側面に配置されているが、排紙トレイ１２に代えて、排紙用紙の後処理装置（ステープル、パンチ処理等々）や、複数段排紙トレイをオプションとして配置することも可能な構成となっている。
【００４５】
ＡＤＦの構成と動作
上述の画像形成装置１００に搭載されたＡＤＦ１について図２〜８に基づいて説明する。図２はＡＤＦの外観を示す斜視図、図３は図２に示されるＡＤＦの概略的な構成を示す断面図、図４は図３の要部拡大説明図、図５は制御部とＡＤＦの各部との関係を示すブロック図、図６８はＡＤＦの制御フローを示すフローチャート図である。
【００４６】
図２及び図３に示されるように、ＡＤＦ１は、原稿固定方式で原稿が読み取られるときに原稿が載置されるプラテンガラス３１を備えた第１読取ユニット３２と、第１読取ユニット３２に対して開閉可能に装着された自動原稿搬送ユニット３３とから主に構成されている。
第１読取ユニット３２は、プラテンガラス３１、匡体４６、匡体４６内に収容された第１光源ユニット３４、ミラーユニット３５、結像レンズ３６およびＣＣＤ（受光素子）３７とから主に構成されている。
【００４７】
第１光源ユニット３４は、光を照射する光源３８、光源３８から発せられた光を所定の方向に集光するリフレクター（図示せず）、原稿からの反射光のみを通過させるスリット（図示せず）およびスリットを通過した反射光の光路を９０度変更する第１ミラー４０ａとから主に構成され、ミラーユニット３５は第１ミラー４０ａから反射してきた反射光をさらに１８０度変更する第２ミラー４０ｂおよび第３ミラー４０ｃとから構成されている。
【００４８】
ユーザーによって自動原稿搬送ユニット３３が開閉され、プラテンガラス３１上に被読取面がプラテンガラス３１と対向するように原稿が載置されると、光源ユニット３４およびミラーユニット３５は、原稿固定方式で原稿を読み取る際のホームポジションにそれぞれ移動し、その後ユーザーから印字要求がなされると、光源ユニット３４は副走査方向に所定の速度Ｖで移動し、これと同時にミラーユニット３５は副走査方向にＶ／２の速度で移動し、原稿の全面においてＣＣＤ３７に至る光路長を常に一定に維持しつつ原稿からの反射光をＣＣＤ３７へ導く。
【００４９】
自動原稿搬送ユニット３３は、原稿束が載置される原稿トレイ４１と、原稿束から原稿を原稿搬送路Ｓ１へ送り出すピックアップローラ４２と、原稿搬送路Ｓ１へ送り出された原稿を１枚ずつ分離させながら原稿搬送路Ｓ１の下流側へ搬送する給紙ローラ４３およびさばきローラ４４と、原稿を原稿搬送路Ｓ１に沿って搬送するための駆動ローラおよび従動ローラからなる複数対の搬送ローラ４５と、原稿の表面側の画像を読み取るために原稿搬送路Ｓ１中に設けられた第１読取部４７と、原稿の裏面側の画像を読み取るために原稿搬送路Ｓ１中に設けられた第２読取部４８と、第１読取部４７および第２読取部４８に所定のタイミングで原稿を送り出すレジストローラ４９と、画像の読取を終えた原稿を排紙トレイ５０へ排出する排紙ローラ５１とから主に構成される。
【００５０】
原稿トレイ４１は上下方向に移動でき、原稿束が載置されると図示しないセンサがそれを検知し、ユーザーから印字要求がなされると、原稿トレイ４１が上方へ移動し、原稿束のうち最も上に位置する原稿からピックアップローラ４２によって原稿搬送路Ｓ１へ送り出され、給紙ローラ４３およびさばきローラ４４、並びに搬送ローラ４５を経てレジストローラ４９に至る。
原稿はレジストローラ４９に突き当たることにより斜行が矯正された後、再びレジストローラ４９によって所定のタイミングで第１読取部４７へ搬送される。
【００５１】
この際、第１光源ユニット３４およびミラーユニット３５は、図３に示す原稿移動方式のホームポジションに移動し、このホームポジションに静止したまま第１光源ユニット３４から第１読取部４７を通過する原稿に光を照射し、原稿の画像を読み取る。
画像が読み取られた原稿は排紙ローラ５１を経て排止トレイ５０へ排出されるが、両面読取の要求がユーザーからなされている場合には第２読取部４８で原稿の裏面側の画像がさらに読み取られる。
【００５２】
自動原稿搬送ユニット３３は、第２読取部４８で原稿移動方式により原稿の裏面の画像を読み取るために第２読取ユニット５２を備えている。
第２読取ユニット５２は、光源５３およびリフレクター５４を有する第２光源ユニット５５、第１ミラー５６ａ、第２ミラー５６ｂ、第３ミラー５６ｃ、第４ミラー５６ｄ、結像レンズ５７および受光素子としてのＣＣＤ５８とを備えており、匡体５９によってユニット化されている。
【００５３】
ユーザーによって両面読取の要求が成されている場合、第２光源ユニット５５から第２読取部４８を通過する原稿に対して光が照射され、原稿の裏面から反射した反射光は、第１ミラー５６ａ、第２ミラー５６ｂ、第３ミラー５６ｃ、第４ミラー５６ｄおよび結像レンズ５７を経てＣＣＤ５８に導かれる。
【００５４】
ＡＤＦ１は、ＡＤＦ１の起動時、原稿の読み取り開始前、所定毎数の原稿読取毎にシェーディング補正を行って画像の濃度ムラをなくすために第１シェーディング補正板６０、第２シェーディング補正板６１および第３シェーディング補正板６２を備えている。
第１シェーディング補正板６０は上述の原稿固定方式で原稿を読み取る場合に利用されるものであり、第２シェーディング補正板６１は原稿移動方式で原稿の表面側の画像を読み取る場合に利用されるものであり、第３シェーディング補正板６２は原稿移動方式で原稿の裏面側の画像を読み取る場合に利用されるものである。
【００５５】
図示しないが、原稿固定方式で原稿の読み取りが行われる場合、第１光源ユニット３４およびミラーユニット３５のホームポジションは第１シェーディング補正板６０の下方に設定され、この位置で原稿読取前に第１シェーディング補正板６０から基準濃度情報が取得されシェーディング補正が実行される。
一方、原稿移動方式で原稿の表面側の画像の読取が行われる場合、第１光源ユニット３４およびミラーユニット３５のホームポジションは図３に示されるように第２シェーディング補正板６１の下方に設定され、この位置で、ＡＤＦ１の起動時、原稿の読み取り開始前、所定枚数の原稿読取毎に第２シェーディング補正板６１から基準濃度情報が取得されシェーディング補正が実行される。
【００５６】
原稿の裏面側の画像を第２読取ユニット５２で読み取る場合に利用される第３シェーディング補正板６２は、図４に示されるように、電磁ソレノイド（補正板駆動部）６３のプランジャに連結され、電磁ソレノイド６３は、後述するよ制御部６４による制御の下で、原稿が第２読取部４８を通過するタイミングに応じて、第３シェーディング補正板６２を第２読取部４８で第２読取ユニット５２に読み取らせる読取位置と、原稿の通過を妨げない退避位置とに移動させ、ＡＤＦ１の起動時、原稿の読み取り開始前、所定枚数の原稿読取毎に第３シェーディング補正板６２から基準濃度情報が取得されシェーディング補正が実行される。
【００５７】
ここで図５に基づいて制御部の構成について説明する。
図５に示されるように、制御部６４は、演算処理を行うＣＰＵ６５、制御プログラムを格納したＲＯＭ６６、各種設定条件を格納するＲＡＭ６７、ＡＤＦ１の各種センサと信号の入出力を行うＩ／Ｏポート６８および上述の電磁ソレノイド６３を含むＡＤＦ１の各種駆動部を駆動するドライバ回路６９とから構成されている。
【００５８】
以下、制御部６４が第２読取ユニット５２のシェーディング補正を行う制御フローについて図６〜８に基づいて説明する。
ＡＤＦの起動時
図６に示されるように、ステップ１において、ＡＤＦ１の主電源がＯＦＦからＯＮへ切り換えられ、ＡＤＦ１が起動すると、ＡＤＦ１の初期化工程に進み（ステップ２）、さらにステップ３へ進んで第２読取ユニット５２の光源５３の光量が所定の原稿読取光量に達したか否かが判断される。
ステップ３において、光源５３の光量が所定の原稿読取光量に達したと判断されると、ステップ４に進み、電磁ソレノイド６３を駆動させて第３シェーディング補正板６２を第２読取部４８で第２読取ユニット５２に読み取らせる読取位置へ移動させる。
【００５９】
ステップ４で第３シェーディング補正板６２が読取位置に移動させられると、ステップ５に進み、第３シェーディング補正板６２からの反射光を読み取ることにより、得られた白レベルの基準濃度情報に基づいて第２読取ユニット５２のシェーディング補正を実行する。
ステップ５で第２読取ユニット５２のシェーディング補正が実行されると、ステップ６に進み、読み取った白レベルの基準濃度情報に基づいて照射光量および濃度決定値を記憶する。
【００６０】
ステップ６で照射光量および濃度決定値が記憶されるとステップ７に進み、シェーディング補正処理を含むＡＤＦ１の初期化工程が完了したか否かが判断され、完了していないと判断された場合はステップ２へ戻り、完了したと判断された場合は待機状態へ移行し、一連のフローを終了する。
【００６１】
原稿読取開始時（両面読取設定時）
図７に示されるように、ステップ１においてユーザーから印字要求がなされるとステップ２へ進み、光源５３への通電を開始し、ステップ３の初期化工程へ移行する。
ステップ３で初期化工程へ移行すると、ステップ４に進み、光源５３の光量が所定の原稿読取光量に達したか否かが判断される。
【００６２】
ステップ４で光源５３の光量が所定の原稿読取光量に達したと判断されるとステップ５に進み、第３シェーディング補正板６２が読取位置にあるか否かが判断され、第３シェーディング補正板６２が読取位置にないと判断された場合は、電磁ソレノイド６３を駆動させて第３シェーディング補正板６２を第２読取部４８で第２読取ユニット５２に読み取らせる読取位置へ移動させる（ステップ６）。
ステップ５で第３シェーディング補正板６２が読取位置にあると判断されるか或いは、ステップで第３シェーディング補正板６２が読取位置に移動させられると、ステップ７に進み、第３シェーディング補正板６２からの反射光を読み取ることにより得られた白レベルの基準濃度情報に基づいて第２読取ユニット５２のシェーディング補正を実行する。
【００６３】
ステップ７で第２読取ユニット５２のシェーディング補正が実行されると、ステップ８に進み、読み取った白レベルの基準濃度情報に基づいて照射光量および濃度決定値を記憶する。
ステップ８で照射光量および濃度決定値が記憶されるとステップ９に進み、シェーディング補正を含むＡＤＦ１の初期化工程が完了したか否かが判断され、完了していないと判断された場合はステップ３へ戻り、完了したと判断された場合は、図８に示されるようにステップ１０に進み、ピックアップローラ４２を駆動して原稿トレイ４１に載置された原稿束のうち最も上の原稿から１枚ずつ原稿搬送路Ｓ１へ送り出させる。
【００６４】
ステップ１０で原稿が原稿搬送路Ｓ１へ送り出されると、ステップ１１に進み、原稿がレジストローラ４９に到達したか否かが判断され、レジストローラ４９に原稿が到達したと判断されるとステップ１２に進んで第３シェーディング補正板６２が読取位置にあるか否かが判断される。ステップ１２で第３シェーディング補正板６２が読取位置にあると判断されるとステップ１３に進んで電磁ソレノイド６３を駆動させ、第３シェーディング補正板６２を原稿通過の邪魔にならない退避位置へ移動させる。
ステップ１２で第３シェーディング補正板６２が読取位置にないと判断されるか、或いは、ステップ１３で第３シェーディング補正板６２が退避位置へ移動させられるとステップ１４に進んでレジストローラ４９による原稿の搬送を開始し、第１読取部４７で原稿の表面側の画像を読み取り（ステップ１５）、その後、さらに第２読取部４８で原稿の裏面側の画像を読み取る（ステップ１６）。
【００６５】
ステップ１６で原稿の裏面側の画像が読み取られるとステップ１７に進み、次に読み取るべき原稿があるか否かが判断され、次の原稿がないと判断された場合はステップ１８に進んで待機状態に戻り、一連のフローを終了する。
一方、ステップ１７で次に読み取るべき原稿があると判断された場合はステップ１９に進んで読み取った原稿の枚数をカウントし、ステップ１９でカウントされた枚数が所定の読取枚数に達したか否かが判断される（ステップ２０）。
【００６６】
ステップ２０で所定の読取枚数に達していないと判断された場合は、ステップ１０へ戻って次の原稿の搬送を開始する。
一方、ステップ２０で所定の読取枚数に達していると判断された場合は、ステップ５へ戻って再びシェーディング補正が行われる。
【００６７】
以上のように、この実施例によるＡＤＦ１によれば、シェーディング補正の要否に応じてシェーディング補正板６２が読取位置と退避位置に移動させられるので、シェーディング補正板６２が原稿のインクや紙粉等によって汚損されることを確実に防止でき、読取速度の低下を招くことなく精度よくシェーディング補正を行うことが可能となる。
【００６８】
ＡＤＦの変形例
次にこの発明の変形例に係るＡＤＦ２００について図９〜１４に基づいて説明する。図９は変形例に係るＡＤＦの概略的な構成を示す断面図、図１０は図９の要部拡大図、図１１は制御部とＡＤＦの各部との関係を示すブロック図、図１２〜１４はＡＤＦの制御フローを示すフローチャート図である。
【００６９】
図９および図１０に示されるように変形例に係るＡＤＦ２００は、第３シェーディング補正板２６２が、第２読取部２４８から原稿の搬送方向の下流側に離間した原稿と非接触となる位置に固定されている。
第２光源ユニット２５５のリフレクター２５４はシェーディング補正の要否に応じて第２読取部２４８と第３シェーディング補正板２６２を選択的に照射できるように可動式とされ、図示しないリフレクタ駆動用パルスモータ（リフレクター駆動部）に接続されている。
また、第１ミラー２５６ａは、第３シェーディング補正板２６２から反射し、ＣＣＤ２５８に至る光路長と、原稿から反射しＣＣＤ２５８に至る光路長が略等しくなるように可動式とされ、図示しないミラー駆動用パルスモータ（ミラー駆動部）に接続されている。
【００７０】
変形例に係るＡＤＦ２００の制御部の構成について図１１に基づいて説明する。
図１１に示されるように、変形例に係るＡＤＦ２００の制御部２６４は、演算処理を行うＣＰＵ２６５、制御プログラムを格納したＲＯＭ２６６、各種設定条件を格納するＲＡＭ、ＡＤＦ２００の各種センサと信号の入出力を行うＩ／Ｏポート２６８、リフレクタ駆動用パルスモータおよびミラー駆動用パルスモータを含む各種駆動部を駆動するドライバ回路２６９とから主に構成されている。
【００７１】
以下、制御部２６４が第２読取ユニット２５２のシェーディング補正を行う制御フローについて図１２〜１４に基づいて説明する。
ＡＤＦの起動時
図１２に示されるように、ステップ１においてＡＤＦ２００の主電源がＯＦＦからＯＮへ切り換えられ、ＡＤＦ２００が起動すると、ＡＤＦ２００の初期化工程に進み（ステップ２）、さらにステップ３に進んで第２読取ユニット２５２の光源２５３の光量が所定の原稿読取光量に達したか否かが判断される。
【００７２】
ステップ３において光源２５３の光量が所定の原稿読取光量に達したと判断されるとステップ４に進み、ミラー駆動用パルスモータおよびリフレクタ駆動用パルスモータをそれぞれ駆動させて第１ミラー２５６ａとリフレクター２５４をそれぞれ回転させ、シェーディング補正用の光路を設定する。
ステップ４でシェーディング補正用の光路が設定されるとステップ５に進み、第３シェーディング補正板２６２からの反射光を読み取ることにより得られた白レベルの基準濃度情報に基づいて第２読取ユニット２５２のシェーディング補正を実行する。
【００７３】
ステップ５で第２読取ユニット２５２のシェーディング補正が実行されるとステップ６に進み、読み取った白レベルの基準濃度情報に基づいて照射光量および濃度決定値を記憶する。
ステップ６で照射光量および濃度決定値が記憶されるとステップ７に進み、シェーディング補正処理を含むＡＤＦ２００の初期化工程が完了したか否かが判断され、完了していないと判断された場合はステップ２へ戻り、完了したと判断された場合は待機状態に移行し、一連のフローを終了する。
【００７４】
原稿読取開始時（画面読取設定時）
図１３に示されるように、ステップ１においてユーザーから印字要求がなされるとステップ２へ進み、光源２５３への通電を開始し、ステップ３の初期化工程へ移行する。
ステップ３で初期化工程へ移行すると、ステップ４に進み、光源２５３の光量が所定の原稿読取光量に達したか否かが判断される。
【００７５】
ステップ４で光源２５３の光量が所定の原稿読取光量に達したと判断されるとステップ５に進み、第１ミラー２５６ａとリフレクター２５４がシェーディング補正用の角度に設定され、シェーディング補正用の光路が設定されているか否かが判断され、シェーディング補正用の光路が設定されていないと判断された場合は、ミラー用パルスモータとリフレクタ用パルスモータをそれぞれ駆動させて、第１ミラー２５６ａとリフレクター２５４をシェーディング補正用の角度に設定し、シェーディング補正用の光路を設定する（ステップ６）。
【００７６】
ステップ５でシェーディング補正用の光路が設定されていると判断されるか、或いは、ステップ６で第１ミラー２５６ａとリフレクター２５４がシェーディング補正用の角度に設定されることによりシェーディング補正用の光路が設定されるとステップ７に進み、第３シェーディング補正板２６２からの反射光を読み取ることにより得られた白レベルの基準濃度情報に基づいて第２読取ユニット２５２のシェーディング補正を実行する。
【００７７】
ステップ７で第２読取ユニット２５２のシェーディング補正が実行されるとステップ８に進み、読み取った白レベルの基準濃度情報に基づいて照射光量および濃度決定値を記憶する。
ステップ８で照射光量および濃度決定値が記憶されるとステップ９に進み、シェーディング補正を含むＡＤＦ２００の初期化工程が完了したか否かが判断され、完了していないと判断された場合はステップ３へ戻り、完了したと判断された場合は図１４に示されるようにステップ１０に進み、ピックアップローラ２４２を駆動して原稿トレイ２４１に載置された原稿束のうち最も上の原稿から１枚ずつ原稿搬送路Ｓ１へ送り出させる。
【００７８】
ステップ１０で原稿が原稿搬送路Ｓ１へ送り出されるとステップ１１に進み原稿がレジストローラ２４９に到達したか否かが判断され、レジストローラ２４９に原稿が到達したと判断されるステップ１２に進んで第１ミラー２５６ａとリフレクター２５４がシェーディング補正用の角度に設定され、シェーディング補正用の光路が設定されているか否かが判断される。
ステップ１２で第１ミラー２５６ａとリフレクター２５４がシェーディング補正用の角度に設定され、シェーディング補正用の光路が設定されていると判断されると、ステップ１３に進んでミラー用パルスモータをそれぞれ駆動させて第１ミラー２５６ａとリフレクター２５４を原稿読取用の角度に設定し、原稿読取用の光路を設定する。
【００７９】
ステップ１２でシェーディング補正用の光路が設定されていないと判断されるか、或いはステップ１３で第１ミラー２５６ａとリフレクター２５４が原稿読取用の角度に設定されることにより原稿読取用の光路が設定されると、ステップ１４に進んでレジストローラ２４９による原稿の搬送を開始し、第１読取部２４７で原稿の表面側の画像を読み取り（ステップ１５）、その後、さらに第２読取部２４８で原稿の裏面側の画像を読み取る（ステップ１６）。
【００８０】
ステップ１６で原稿の裏面側の画像が読み取られるとステップ１７に進み、次に読み取るべき原稿があるか否かが判断され、次の原稿がないと判断された場合はステップ１８に進んで待機状態に戻り、一連のフローを終了する。
一方、ステップ１８で次に読み取るべき原稿があると判断された場合は、ステップ１９に進んで読み取った原稿の枚数をカウントし、ステップ１９でカウントされた枚数が所定の読取枚数に達したか否かが判断される（ステップ２０）。
【００８１】
ステップ２０で所定の読取枚数に達していないと判断された場合はステップ１０へ戻って次の原稿の搬送を開始する。
一方、ステップ２０で所定の読取枚数に達していると判断された場合は、ステップ５へ戻って再びシェーディング補正が実行される。
【００８２】
以上のように、変形例に係るＡＤＦ２００によれば、第３シェーディング補正板２６２が、第２読取部２４８から原稿の搬送方向の下流側に離間した原稿と非接触となる位置に固定され、第１ミラー２５６ａとリフレクター２５４がシェーディング補正に適したシェーディング補正用の光路を形成するように必要に応じて駆動されるので、第３シェーディング補正板２６２の汚損を確実に防止しつつ、精度のよいシェーディング補正を読取速度の低下を招くことなく行うことができる。
【００８３】
なお、上述の実施例およびその変形例に係るＡＤＦ１，２００では、第２読取ユニット５２，２５２の第２読取部４８，２４８についてのみ、本発明に係るシェーディング補正板の構成を適用したが、当然のことながら、第１読取ユニット３２の第１読取部４７についても同様の手法により、第２シェーディング補正板６１を第１読取部４７に対して進退可能に設けたり、第２シェーディング補正板６２を第１読取部４７から原稿の搬送方向の上流側または下流側に離間した原稿と非接触となる位置に設けたりすることが可能である。
【図面の簡単な説明】
【００８４】
【図１】この発明の実施例によるＡＤＦ（原稿読取装置）を搭載した画像形成装置の全体的な構成を示す概略図である。
【図２】この発明の実施例によるＡＤＦの外観を示す斜視図である。
【図３】図２に示されるＡＤＦの概略的な構成を示す断面図である。
【図４】図３の要部拡大図である。
【図５】制御部とＡＤＦの各部との関係を示すブロック図である。
【図６】ＡＤＦの制御フローを示すフローチャート図である。
【図７】ＡＤＦの制御フローを示すフローチャート図である。
【図８】ＡＤＦの制御フローを示すフローチャート図である。
【図９】この発明の変形例に係るＡＤＦの概略的な構成を示す断面図である。
【図１０】図９の要部拡大図である。
【図１１】制御部とＡＤＦの各部との関係を示すブロック図である。
【図１２】ＡＤＦの制御フローを示すフローチャート図である。
【図１３】ＡＤＦの制御フローを示すフローチャート図である。
【図１４】ＡＤＦの制御フローを示すフローチャート図である。
【符号の説明】
【００８５】
１，２００・・・ＡＤＦ（原稿読取装置）
３・・・光書込ユニット
４・・・現像器
５・・・感光体
６・・・帯電器
７・・・クリーナユニット
８・・・転写ユニット
９・・・定着ユニット
１０・・・用紙搬送路
１１・・・給紙トレイ
１２，５０・・・排紙トレイ
１７ａ，１７ｂ・・・ミラー群
１９・・・転写ベルト
２０・・・駆動ローラ
２１・・・従動ローラ
２２・・・弾性導電性ローラ
２３・・・加熱ローラ
２４・・・加圧ローラ
２５・・・大容量給紙カセット
２６・・・手差しトレイ
３２・・・第１読取ユニット
３３・・・自動原稿搬送ユニット
３４・・・第１光源ユニット
３５・・・ミラーユニット
３６，５７・・・結像レンズ
３７，５８・・・ＣＣＤ
３８，５３・・・光源
４０ａ，５６ａ・・・第１ミラー
４０ｂ，５６ｂ・・・第２ミラー
４０ｃ，５６ｃ・・・第３ミラー
４１・・・原稿トレイ
４２・・・ピックアップローラ
４３・・・給紙ローラ
４４・・・さばきローラ
４５・・・搬送ローラ
４６，５９・・・筐体
４７・・・第１読取部
４８・・・第２読取部
４９・・・レジストローラ
５１・・・排紙ローラ
５２・・・第２読取ユニット
５４・・・リフレクター
５５・・・第２光源ユニット
５６ｄ・・・第４ミラー
６０・・・第１シェーディング補正板
６１・・・第２シェーディング補正板
６２・・・第３シェーディング補正板
６３・・・ソレノイド
６４・・・制御部
６５・・・ＣＰＵ
６６・・・ＲＯＭ
６７・・・ＲＡＭ
６８・・・Ｉ／Ｏポート
６９・・・ドライバ回路
１００・・・画像形成装置
Ｓ１・・・原稿搬送路
【図１】
2008010960.tif 000003
【図２】
2008010960.tif 000004
【図３】
2008010960.tif 000005
【図４】
2008010960.tif 000006
【図５】
2008010960.tif 000007
【図６】
2008010960.tif 000008
【図７】
2008010960.tif 000009
【図８】
2008010960.tif 000010
【図９】
2008010960.tif 000011
【図１０】
2008010960.tif 000012
【図１１】
2008010960.tif 000013
【図１２】
2008010960.tif 000014
【図１３】
2008010960.tif 000015
【図１４】
2008010960.tif 000016